Podtech/llm-jp-corpus-v4-ja_patent huggingface dataset:
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
医療器具から突出する拡張部材を有する該医療器具とともに使用するための固定装置であって、
リテイナであって、前記リテイナの軸線に沿って延び、前記医療器具の少なくとも一部を収容するために形成されたチャンネル部分と、前記医療器具が通過することができる前記リテイナに沿った縦のスロットであって前記チャンネル部分の直径よりも小さい横幅を有する縦のスロットと、前記リテイナの前記軸線に向けて延び、前記リテイナによって前記医療器具の長手方向の運動を妨げる形で前記医療器具の前記拡張部材と嵌合するように形成されている少なくとも１つの突起部とを有するリテイナと、
底側粘着面と上面とを有する可撓性のある固定パッドとを備え、
前記リテイナは前記固定パッドに装着されている固定装置。
【請求項２】
前記チャンネル部分の前記軸線は、前記固定パッドの前記上面に対して鋭角に配置される請求項１に記載の固定装置。
【請求項３】
前記リテイナの前記チャンネル部分は、先端を切り取った円形の横断面形状を有し、前記医療器具が前記チャンネル部分に収容された時に、前記チャンネル部分の前記軸線の周りに１８０°より大きい円弧状部で、前記医療器具の少なくとも一部を囲む請求項１に記載の固定装置。
【請求項４】
前記チャンネル部分の少なくとも一部は、略円錐形状を有している請求項１に記載の固定装置。
【請求項５】
前記リテイナの少なくとも１つの前記突起部は、前記リテイナの前記軸線に向けて前記チャンネル部分に突出する略環状のリングを備える請求項１に記載の固定装置。
【請求項６】
前記チャンネル部分の前記横断面は、その長さの少なくとも一部で次第に小さくなる請求項１に記載の固定装置。
【請求項７】
前記リテイナの前記軸線に沿って延びる第２のチャンネル部分を更に備え、前記第２のチャンネル部分の前記横断面はその長さの少なくとも一部で次第に小さくなる請求項１に記載の固定装置。
【請求項８】
前記第２のチャンネル部分は、前記第２のチャンネル部分に収容される前記医療器具の対応する部分と略マッチする曲率半径の略円形状を有する請求項７に記載の固定装置。
【請求項９】
前記リテイナは少なくとも２つの突起部を備え、それぞれの突起部は、前記医療器具の長手方向の移動を妨げるように、前記医療器具の前記拡張部材に嵌合する大きさである請求項１に記載の固定装置。
【請求項１０】
少なくとも２つの前記突起部は前記チャンネル部分内に配置されている請求項９に記載の固定装置。
【請求項１１】
少なくとも２つの前記突起部は前記チャンネル部分の外側に配置されている請求項９に記載の固定装置。
【請求項１２】
前記突起部は、前記医療器具を収容するための前記リテイナに沿って並列に位置するように前記軸線に沿って互いに隣に配置されている請求項９に記載の固定装置。
【請求項１３】
医療器具から突出する少なくとも１つの部材を本体に有する該医療器具と、
リテイナとを備えるカテーテルシステムであって、
前記リテイナは、軸線について延びるチャンネルであって、一般に前記軸線に略平行な開口部を与えるように先端を切り取った横断面形状を有し、少なくとも前記軸線に沿って延び、前記医療器具が前記チャンネル内に配置された時に、前記医療器具の前記本体の少なくとも半分を囲う大きさであるチャンネルと、前記軸線に向けて延び、一般に前記チャンネル内にある少なくとも１つの突起部であって、前記医療器具が前記チャンネル内に配置される少なくとも１つの前記部材とともに前記リテイナに挿入され時に、前記医療器具の少なくとも１つの前記部材に接触するように形成され、前記リテイナ内の前記医療器具の長手方向の移動を妨げる大きさである少なくとも１つの突起部とを含むカテーテルシステム。
【請求項１４】
前記チャンネルは、前記医療器具の前記本体の円錐形状に略マッチする曲率半径の略円形状を有する請求項１３に記載のカテーテルシステム。
【請求項１５】
前記チャンネルは、第１のチャンネル部分と第２のチャンネル部分とを備え、前記第１及び第２のチャンネル部分は、それぞれの前記チャンネル部分に収容される前記医療器具の前記本体の一致する部分に略マッチする曲率半径の略弓形の形状を有する請求項１３に記載のカテーテルシステム。
【請求項１６】
前記第１及び第２のチャンネル部分の１つの少なくとも一部は略円錐台形を有する請求項１５に記載のカテーテルシステム。
【請求項１７】
細長い医療器具ための固定システムであって、
軸線について定義された本体と、
前記医療器具の一部を収容するのに十分な大きさの空間を共に定義する第１サイド及び第２サイドを含むリテイナとを備え、
前記リテイナは、前記空間内に前記医療器具の少なくとも一部を収容し、前記リテイナの前記軸線に対して略法線方向に延びる突起部を含み、
前記突起部は、前記リテイナによって前記医療器具の軸方向の移動を実質上妨げる形で前記医療器具と協同するように形成される固定システム。
【請求項１８】
前記リテイナの少なくとも一部は、前記軸線に平行な開口部を与えるように先端を切り取った横断面形状を有し、前記リテイナの前記少なくとも一部は、前記軸線の周りに１８０°より大きい円弧状部で前記医療器具の少なくとも一部を囲う大きさである請求項１７に記載の固定システム。
【請求項１９】
前記リテイナの前記突起部は、前記第１及び第２のサイドから前記リテイナの前記軸線に向けて延びる略環状のリングを備える請求項１７に記載の固定システム。
【請求項２０】
定義された前記空間は、一面に沿って先端を切り取ったような略円錐台形状を有する請求項１７に記載の固定システム。
【請求項２１】
定義された前記空間は、前記医療器具の少なくとも一部に略マッチする曲率半径の略弓形の形状を有する請求項１７に記載の固定システム。
【手続補正書】
【提出日】平成21年3月31日(2009.3.31)
【手続補正１】
【補正対象書類名】明細書
【補正対象項目名】０００２
【補正方法】変更
【補正の内容】
【０００２】
従来より、例えばヨガのレッスン用画像及び音声を記録したＤＶＤが市販されている（例えば、非特許文献１参照）。したがって、このＤＶＤを入手し、テレビ受像機を利用して再生することにより、ヨガスクール等の一定の場所に赴いてインストラクターによる指導を受けずとも、家庭等において独学でヨガを練習し、修得することが可能となる。
【非特許文献１】ＤＶＤ「ヨガ・ベーシックス 初級編 」コロムビアミュージックエンタテインメント（株）２００５年３月２５日発売
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
洗濯物を出し入れするための外箱開口部を前部に有する外箱と、
上記外箱内に配置され、上記外箱開口部に対向する水槽開口部を有する水槽と、
上記水槽内に回転自在に配置されていると共に、後部が前部より下がるように中心軸が水平面に対して傾斜する回転ドラムと、
上記回転ドラムを回転駆動する駆動装置と、
上記水槽内の洗濯水を上記回転ドラム内に供給するための循環装置と、
上記循環装置を間欠的または連続的に運転する制御装置と
を備え、
上記回転ドラムは、
複数の貫通孔が設けられた周壁と、
上記周壁の後端に連なる後端壁と
を有し、
上記制御装置は、
上記循環装置の運転前における上記回転ドラム内の洗濯水の水位に比べて、上記循環装置の運転中における上記回転ドラム内の洗濯水の水位の方が高くなるように、上記循環装置の運転を制御する循環装置制御手段
を有することを特徴とするドラム式洗濯機。
【請求項２】
請求項１に記載のドラム式洗濯機において、
上記循環装置制御手段は、上記回転ドラムが、上記循環装置の運転中、上記回転ドラムと上記水槽との間の洗濯水に浸からないように、上記循環装置の運転を制御することを特徴とするドラム式洗濯機。
【請求項３】
請求項１に記載のドラム式洗濯機において、
上記回転ドラム内の洗濯物の量を検知する洗濯物量検知部を備え、
上記循環装置制御手段は、上記洗濯物量検知部により、上記回転ドラム内の洗濯物の量が比較的多いと判定すると、上記循環装置のＯＮ時間が比較的長くなるように、かつ、上記洗濯物量検知部により、上記回転ドラム内の洗濯物の量が比較的少ないと判定すると、上記循環装置のＯＮ時間が比較的短くなるように、上記循環装置の運転を制御することを特徴とするドラム式洗濯機。
【手続補正書】
【提出日】平成21年1月30日(2009.1.30)
【手続補正１】
【補正対象書類名】特許請求の範囲
【補正対象項目名】請求項１
【補正方法】変更
【補正の内容】
【請求項１】
前部がトラクタ車体（２）に連結された直装ヒッチ機構（５）の後端に連結枠（６）を連結し、この連結枠（６）の後部に作業機（Ｓ）を装着した作業機装着装置であって、
前記連結枠（６）は、直装ヒッチ機構（５）の後端に連結された第１連結枠（６Ａ）と、この第１連結枠（６Ａ）に移動可能に装着されかつ前記作業機（Ｓ）と連結された第２連結枠（６Ｂ）とで構成され、前記第１連結枠（６Ａ）と第２連結枠（６Ｂ）との間に第２連結枠（６Ｂ）を後方向に付勢しながら装着する緩衝装着具（Ｃ）が設けられていることを特徴とする作業機装着装置。
【手続補正２】
【補正対象書類名】明細書
【補正対象項目名】０００５
【補正方法】変更
【補正の内容】
【０００５】
本発明における課題解決のための具体的手段は、次の通りである。
第１に、前部がトラクタ車体２に連結された直装ヒッチ機構５の後端に連結枠６を連結し、この連結枠６の後部に作業機Ｓを装着した作業機装着装置であって、
前記連結枠６は、直装ヒッチ機構５の後端に連結された第１連結枠６Ａと、この第１連結枠６Ａに移動可能に装着されかつ前記作業機Ｓと連結された第２連結枠６Ｂとで構成され、前記第１連結枠６Ａと第２連結枠６Ｂとの間に第２連結枠（６Ｂ）を後方向に付勢しながら装着する緩衝装着具Ｃが設けられていることを特徴とする。
【手続補正３】
【補正対象書類名】明細書
【補正対象項目名】００３３
【補正方法】変更
【補正の内容】
【００３３】
前記下緩衝装着具ＣＤの後側の弾性体１５Ａは、第２連結枠６Ｂを後方向に弾圧するものであり、前側の弾性体１５Ｂは、前記弾性体１５Ａに対向していて第２連結枠６Ｂを前方向に弾圧する対向弾性体となっている。
前記支持部材１６及びガイドピン１８は取付部材１７に対しては前後移動自在であり、前後どちらに移動する場合にも取付部材１７の前後の弾性体１５Ａ、１５Ｂが作用し、作業機Ｓの前後振動・衝撃を吸収する。  上緩衝装着具ＣＵは、上部体４２の突出部４２ａの背面に上取付部材１７Ｕが設けられ、立設体４６の突出部４６ａの前面には上支持部材１６Ｕが設けられ、上取付部材１７Ｕと上支持部材１６Ｕとは前後方向には離れて対面し、上取付部材１７Ｕに設けられたガイドピン１８が上支持部材１６Ｕを相対摺動自在に貫通しており、上支持部材１６Ｕの前側の弾性体１５Ａは第２連結枠６Ｂを後方向に弾圧するものであり、後側の対向弾性体１５Ｂは、前記弾性体１５Ａに対向していて第２連結枠６Ｂを前方向に弾圧するものであり、前記下緩衝装着具ＣＤと同様に、作業機Ｓの前後振動・衝撃を吸収する。
【手続補正４】
【補正対象書類名】明細書
【補正対象項目名】００３５
【補正方法】変更
【補正の内容】
【００３５】
従って、この第３実施形態においては、作業機Ｓから主に第２連結枠６Ｂの上部に伝わる前後振動・衝撃が、上緩衝装着具ＣＵによって吸収される。なお、上緩衝装着具ＣＵは対向弾性体１５Ｂを割愛してもよい。
図１２に示す第４実施形態において、作業機装着装置１Ｄは、第１連結枠６Ａと第２連結枠６Ｂの下部を緩衝装着具Ｃで装着しているのは前記第１実施形態と同様であるが、上部は立設体４６の突出部４６ａを前方へ突出して上部体４２のトップリンク連結位置と重合させ、貫通ピン９の代わりにトップリンク３を連結する連結ピン３Ｂを兼用して連結している。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
手のひらで握れる大きさの円筒の一端の上部を、切り欠いて開口部とする外筒を形成すると共に、該外筒の内径よりも外径が小さな円筒を、一方の端部に向かってその幅が漸減するように縦割りして内部体を形成し、該内部体の幅広な端部を、開口部とは反対端となる外筒内の上部壁に、互いにその曲面を整合に向かい合わせると共に、その側部どうしを止め部材で上下可動可能に軸着し、又、外筒と内部体の間には、内部体に常時下向きの力を与える弾性体を介在させ、且つ、その幅の狭小となる内部体他端部は、外筒の開口部内に位置させ、該端部の中央には切り込みを入れ、これに刃先を下向きにした１枚の刃を嵌め、刃の上部は内部体の上部に設けた刃保持部に挟み、締め具により着脱可能に固定し、又上記刃保持部の上方には指当て板を取り付けると共に、刃の保持部の下方には、刃の両側に断面傘状に下がり、且つ竹の子の挿通路形成にも係わる竹の子押さえを形成したことを特徴とした、上記竹の子の皮処理具。
【請求項２】
刃高を竹の子の実の先端の位置の径の半分としたことを特徴とした、請求項１記載の竹の子の皮処理具。
【請求項３】
外筒と竹の子押さえに囲まれる挿通路の高さを、竹の子の実の先端の位置の径の高さにしたことを特徴とした、請求項１，２記載竹の子の皮処理具。
【請求項４】
内部体に常時下向きの力を与える弾性力を竹の子固有のものにしたこと特徴とした、請求項１，２および３記載の竹の子の皮処理具。
【請求項５】
外筒又は内部体に連結の部材のいずれかに、竹の子の実の先端の位置を知る手掛かりとなる目安体を取り付けている構成としたことを特徴とした、請求項１から５記載の竹の子の皮処理具。
【請求項６】
竹の子の実の先端の位置に、その径の半分の深さの切り込みを入れ、それよりも下側では切り込みを徐々に浅く切込む切り込み工程と、竹の子の実の先端の位置を、切り込んだ側に折り曲げ、皮を左右に開かせてむく皮むき工程とからなる竹の子の皮むき方法。
【手続補正２】
【補正対象書類名】明細書
【補正対象項目名】００１９
【補正方法】変更
【補正の内容】
【００１９】
また、本発明では、外筒と内部体の側部のそれぞれ２箇所に軸孔を設け、これを可動可能に、ハトメ等で軸着するので、皮の切り込みに際して内部体が遥動しないので、１箇所だけベルトで止めていた特許文献１とは異なり、切り込みにむらを生じたり、切り込み過ぎたり、斜めぎれになったりすることの少ないという利点がある（図１、図３参照）。さらに、本発明では、内部体を可動可能に外筒内に取り付けているので、竹の子の径の違いに合わせて自動的に内部体が動き、竹の子押さえと外筒が竹の子の挿通路を適正に作るので、遥動が少なく、従って、切り込みも適正なものとなる（図２参照）。
【手続補正３】
【補正対象書類名】明細書
【補正対象項目名】００２２
【補正方法】変更
【補正の内容】
【００２２】
図１の３は、その長さが外筒１と略等しい内部体で、外筒１の内径よりもその外径が小さな金属製の円筒を、その一端から他端に向け、図３で示すように、その幅員がテーパー状に漸減する形状に縦割りをし、構成したものである。内部体３は幅員が狭小となる端部上面に、刃７の刃保持部４を、板状体を２枚合わせて構成し、その上部には指当て板６をスポット溶接で取り付け、又、刃保持部４の下部は断面傘状の竹の子押さえ１０となるように構成する。刃７は刃保持部４に挟んでから止め具５としてボルト、ナットで締め付けて取り付ける。従って、刃７は着脱可能なものとなる。なお、刃保持部４からの刃の突出は５ｍｍ〜６ｍｍであり、又、図２のとおり外筒と竹の子押さえに囲まれる挿通路の高さＨは１ｃｍ〜１．２ｃｍとする。
【手続補正４】
【補正対象書類名】明細書
【補正対象項目名】００２９
【補正方法】変更
【補正の内容】
【００２９】
１    外筒
２    開口部
３    内部体
４    刃保持部
５    止め具
６    指当て板
７    刃
８    はとめ
９    目安体
１０  竹の子押さえ
１１  挿入口
１２  竹の子
１５  バネ
１７  皮
１８  実
１９  頂部
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
ゲームフィールドの画面を生成して表示する機能と、
ユーザの操作にしたがって、前記ゲームフィールドに配置されたオブジェクトを移動させて配置を変更する機能と、
複数のオブジェクトの配置が所定の条件を満たすか否かを判定する機能と、
前記条件が満たされたときに、前記条件を満たした複数のオブジェクトを前記ゲームフィールドから消去する機能と、をコンピュータに実現させ、
前記オブジェクトの配置を変更する機能は、
前記オブジェクトを前記ゲームフィールドの外部に引き出す機能と、
前記ゲームフィールドの外部に引き出されたオブジェクトの位置を変更して前記ゲームフィールドに戻す機能と、を含む
ことを特徴とするゲーム制御プログラム。
【請求項２】
前記ゲームフィールドに戻す機能は、前記ゲームフィールドの外部に引き出された複数のオブジェクトの位置を互いに入れ替えてから前記ゲームフィールドに戻す機能を有することを特徴とする請求項１に記載のゲーム制御プログラム。
【請求項３】
前記ゲームフィールドに戻す機能は、前記ゲームフィールドの外部に引き出されたオブジェクトを、前記ゲームフィールドの異なる位置に戻す機能を有することを特徴とする請求項１又は２に記載のゲーム制御プログラム。
【請求項４】
前記ゲームフィールドの外部に引き出す機能は、相対する二方向に前記オブジェクトを引き出し可能であり、前記ゲームフィールド内の前記相対する二方向に平行な列に存在するオブジェクトの数の少なくとも半数のオブジェクトをそれぞれの方向に引き出し可能であることを特徴とする請求項１から３のいずれかに記載のゲーム制御プログラム。
【請求項５】
前記ゲームフィールドの内部に所定のタイミングでオブジェクトを追加する機能と、
前記ゲームフィールドの内部に追加された前記オブジェクトを、前記ゲームフィールド内で所定の法則にしたがって自動的に移動させる機能と、
前記オブジェクトが前記ゲームフィールドの枠、又は、前記ゲームフィールド内に存在する別のオブジェクトに接触して静止する位置を判定する機能と、
を更にコンピュータに実現させることを特徴とする請求項１から４のいずれかに記載のゲーム制御プログラム。
【請求項６】
前記自動的に移動させる機能は、前記ゲームフィールドの上部から追加されたオブジェクトを物理法則にしたがって下方へ落下させることを特徴とする請求項５に記載のゲーム制御プログラム。
【請求項７】
前記自動的に移動させる機能は、前記オブジェクトと前記ゲームフィールドの枠又は前記ゲームフィールド内に存在する別のオブジェクトとの間の反発係数とを設定し、前記枠又は前記別のオブジェクトに衝突した後のオブジェクトの動きを物理計算により決定することを特徴とする請求項６に記載のゲーム制御プログラム。
【請求項８】
前記オブジェクトは球であり、
前記位置を判定する機能は、前記球が前記ゲームフィールドの底から最密に積み上げられたときの前記球の位置を予め保持しており、前記自動的に移動させる機能により決定されたオブジェクトの速度が所定値を下回ったときに、予め保持されている位置のうち、その時点でのオブジェクトの位置に最も近い位置を判定し、そのオブジェクトが静止する位置とすることを特徴とする請求項６又は７に記載のゲーム制御プログラム。
【請求項９】
前記オブジェクトの配置を変更する機能は、前記ゲームフィールドの幅よりも長い、前記オブジェクトの容器を水平方向に移動させることにより、前記オブジェクトを前記ゲームフィールドの外部へ引き出すことを特徴とする請求項６から８のいずれかに記載のゲーム制御プログラム。
【請求項１０】
前記オブジェクトの配置を変更する機能は、前記容器を上下に移動させる機能を有することを特徴とする請求項９に記載のゲーム制御プログラム。
【請求項１１】
前記ユーザの操作にしたがって、前記ゲームフィールドを振動させることにより、前記ゲームフィールドの内部にあるオブジェクトを移動させる機能を更にコンピュータに実現させることを特徴とする請求項６から１０のいずれかに記載のゲーム制御プログラム。
【請求項１２】
ゲームフィールドの画面を生成して表示する画面生成部と、
ユーザの操作にしたがって、前記ゲームフィールドに配置されたオブジェクトを移動させて配置を変更する移動制御部と、
複数のオブジェクトの配置が所定の条件を満たすか否かを判定する判定部と、
前記条件が満たされたときに、前記条件を満たした複数のオブジェクトを前記ゲームフィールドから消去するオブジェクト消去部と、を備え、
前記移動制御部は、
前記オブジェクトを前記ゲームフィールドの外部に引き出す機能と、
前記ゲームフィールドの外部に引き出されたオブジェクトの位置を変更して前記ゲームフィールドに戻す機能と、を含む
ことを特徴とするゲーム装置。
【請求項１３】
ゲームフィールドの画面を生成して表示するステップと、
ユーザの操作にしたがって、前記ゲームフィールドに配置されたオブジェクトを移動させて配置を変更するステップと、
複数のオブジェクトの配置が所定の条件を満たすか否かを判定するステップと、
前記条件が満たされたときに、前記条件を満たした複数のオブジェクトを前記ゲームフィールドから消去するステップと、を備え、
前記オブジェクトの配置を変更するステップは、
前記オブジェクトを前記ゲームフィールドの外部に引き出すステップと、
前記ゲームフィールドの外部に引き出されたオブジェクトの位置を変更して前記ゲームフィールドに戻すステップと、を含む
ことを特徴とするゲーム制御方法。
【請求項１４】
請求項１から１１のいずれかに記載のゲーム制御プログラムを記録したコンピュータ読み取り可能な記録媒体。
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
表示装置と、スピーカーと、始動条件の検出を行う始動条件検出手段とを備え、該始動条件検出手段の検出に基づいて前記表示装置で変動表示を行い、該変動表示の表示結果が所定の態様となった場合に入賞手段を作動させる遊技機において、
該遊技機は、
遊技内容が記憶された記憶手段と該記憶手段に記憶された前記遊技内容に基づいて前記遊技機を制御する主演算手段とを備え、前記表示装置で実行する変動表示種別の決定を行うとともに該決定された前記変動表示に基づいた信号を出力する主制御手段と、
前記スピーカーで音声出力を行うための複数の効果音データが記憶された音声用記憶手段を備え、前記主制御手段からの前記信号に基づいて前記スピーカーを制御するサブ制御手段と、
前記主制御手段とは接続されること無く前記サブ制御手段と電気的に接続されると共に、前記遊技機に対面する遊技者の動作に基づいて検出状態が変化する検出手段とを備え、
前記主制御手段と前記サブ制御手段とは、前記主制御手段から前記サブ制御手段に対して一方向にのみ信号が出力されるように電気的に接続され、
前記サブ制御手段は、
前記主制御手段からの前記信号に基づいて、該信号に対応する音声出力を前記スピーカーで開始すると共に、
音声出力中における前記検出手段の検出状態を判定して検出情報を取得し、該検出情報を判定することで前記信号に対して行われる当該音声出力において実行し得る複数の効果音態様の中から、当該音声出力において実行する効果音態様を決定する音声制御手段と、
該変動制御手段で決定した表示態様に対応する効果音データを前記音声用記憶手段に記憶された効果音データの中から選択し、前記スピーカーで音声出力を行う音声出力手段とを備えることで、前記遊技機に対面する遊技者の動作に基づいて前記効果音を変更することを特徴とする遊技機。
【手続補正２】
【補正対象書類名】明細書
【補正対象項目名】０００７
【補正方法】変更
【補正の内容】
【０００７】
本発明に係る遊技機は、
表示装置と、スピーカーと、始動条件の検出を行う始動条件検出手段とを備え、該始動条件検出手段の検出に基づいて前記表示装置で変動表示を行い、該変動表示の表示結果が所定の態様となった場合に入賞手段を作動させる遊技機において、
該遊技機は、
遊技内容が記憶された記憶手段と該記憶手段に記憶された前記遊技内容に基づいて前記遊技機を制御する主演算手段とを備え、前記表示装置で実行する変動表示種別の決定を行うとともに該決定された前記変動表示に基づいた信号を出力する主制御手段と、
前記スピーカーで音声出力を行うための複数の効果音データが記憶された音声用記憶手段を備え、前記主制御手段からの前記信号に基づいて前記スピーカーを制御するサブ制御手段と、
前記主制御手段とは接続されること無く前記サブ制御手段と電気的に接続されると共に、前記遊技機に対面する遊技者の動作に基づいて検出状態が変化する検出手段とを備え、
前記主制御手段と前記サブ制御手段とは、前記主制御手段から前記サブ制御手段に対して一方向にのみ信号が出力されるように電気的に接続され、
前記サブ制御手段は、
前記主制御手段からの前記信号に基づいて、該信号に対応する音声出力を前記スピーカーで開始すると共に、
音声出力中における前記検出手段の検出状態を判定して検出情報を取得し、該検出情報を判定することで前記信号に対して行われる当該音声出力において実行し得る複数の効果音態様の中から、当該音声出力において実行する効果音態様を決定する音声制御手段と、
該変動制御手段で決定した表示態様に対応する効果音データを前記音声用記憶手段に記憶された効果音データの中から選択し、前記スピーカーで音声出力を行う音声出力手段とを備えることで、前記遊技機に対面する遊技者の動作に基づいて前記効果音を変更することをその要旨としている。
【手続補正３】
【補正対象書類名】明細書
【補正対象項目名】０００８
【補正方法】変更
【補正の内容】
【０００８】
以上詳述したように、本発明によれば、遊技者の動作を検出することができる検出手段を設けたことにより、遊技の興趣を飛躍的に高めることができる。
【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
野生型のアスペルギルス・オリゼ由来のフラビンアデニンジヌクレオチド依存性グルコースデヒドロゲナーゼ（ＦＡＤＧＤＨ）よりも熱安定性が向上した改変型ＦＡＤＧＤＨであって、（１）配列番号２のアミノ酸配列において、１６３位のグリシンがアルギニンに置換され、かつ、５５１位のバリンがシステインに置換されているか、または、（２）配列番号２のアミノ酸配列において、１６３位のグリシンがリジンに置換され、かつ、５５１位のバリンがシステインに置換されている、熱安定性が向上した改変型ＦＡＤＧＤＨ。
【請求項２】
請求項１に記載の改変型ＦＡＤＧＤＨをコードする遺伝子。
【請求項３】
請求項２に記載の遺伝子を含むベクター。
【請求項４】
請求項３に記載のベクターで形質転換された形質転換体。
【請求項５】
請求項４に記載の形質転換体を培養することを特徴とする改変型ＦＡＤＧＤＨの製造方法。
【請求項６】
請求項１に記載の改変型ＦＡＤＧＤＨを含むグルコースアッセイキット。
【請求項７】
請求項１に記載の改変型ＦＡＤＧＤＨを含むグルコースセンサー。
【請求項８】
請求項１に記載の改変型ＦＡＤＧＤＨを含むグルコース測定法。
【手続補正書】
【提出日】平成21年9月8日(2009.9.8)
【手続補正１】
【補正対象書類名】明細書
【補正対象項目名】発明の名称
【補正方法】変更
【補正の内容】
【発明の名称】基板処理装置およびこの装置に用いられる冷却手段、ICの製造方法
【手続補正２】
【補正対象書類名】特許請求の範囲
【補正対象項目名】全文
【補正方法】変更
【補正の内容】
【特許請求の範囲】
【請求項１】
基板を処理する処理室と、 
該処理室内を加熱する加熱手段と、  
前記処理室と前記加熱手段との間に形成される空間と、
該空間のガスを排気するように前記加熱手段を貫通して設けられる第一排気流路と、
該第一排気流路に接続される冷却手段と、
該冷却手段に接続される第二排気流路とを備えており、
前記冷却手段は、  
前記第一排気流路側に供給口を有し前記第二排気流路側に排気口を有するケースと、
該ケース内における前記第一排気流路の流れに交差するように複数回折り返されて設けられた少なくとも１以上の冷却管と、
前記冷却管における前記供給口側領域に設けられ、鉄を主成分とする材料によって形成された複数の第一放熱体と、
前記冷却管における前記第一放熱体の下流側領域に設けられ、前記第一放熱体より放熱性が高い材料によって形成された複数の第二放熱体と、
を具備している基板処理装置。 
【請求項２】
基板を処理する処理室と、 
該処理室内を加熱する加熱手段と、  
前記処理室と前記加熱手段との間に形成される空間と、
該空間のガスを排気するように前記加熱手段を貫通して設けられる第一排気流路と、
を備える基板処理装置における前記第一排気流路に接続される冷却手段であって、
前記第一排気流路側に供給口を有し前記第二排気流路側に排気口を有するケースと、該ケース内における前記第一排気流路の流れに交差するように複数回折り返されて設けられた少なくとも１以上の冷却管と、
前記冷却管における前記供給口側領域に設けられ、鉄を主成分とする材料によって形成された複数の第一放熱体と、
前記冷却管における前記第一放熱体の下流側領域に設けられ、前記第一放熱体より放熱性が高い材料によって形成された複数の第二放熱体と、
を具備している冷却手段。
【請求項３】
処理室へ基板を搬入する搬入ステップと、
加熱手段により前記処理室内の基板を加熱処理する処理ステップと、
前記処理室と前記加熱手段との間に形成される空間及び前記加熱手段を貫通して設けられる第一排気流路からガスを排気し、該ガスを前記第一排気流路に接続される冷却手段を通し、該冷却手段に接続される第二排気流路へ排気する排気ステップとを有し、
前記排気ステップでは、前記冷却手段が、
前記第一排気流路側に供給口を有し前記第二排気流路側に排気口を有するケースと、
該ケース内における前記第一排気流路の流れに交差するように複数回折り返されて設けられた少なくとも１以上の冷却管と、
前記冷却管における前記供給口側領域に設けられ、鉄を主成分とする材料によって形成された複数の第一放熱体と、
前記冷却管における前記第一放熱体の下流側領域に設けられ、前記第一放熱体より放熱性が高い材料によって形成された複数の第二放熱体と、を具備されており、
前記ガスが、前記第一放熱体と熱交換した後に、前記第二放熱体と熱交換するICの製造方法。
【手続補正書】
【提出日】平成21年7月20日(2009.7.20)
【手続補正１】
【補正対象書類名】特許請求の範囲
【補正対象項目名】全文
【補正方法】変更
【補正の内容】
【特許請求の範囲】
【請求項１】
少なくとも一つの発光素子と、この発光素子が実装される回路パターンを備えた回路基板と、その上面に載置された上記回路基板を固定保持する金属台と、この金属台の上面にて各発光素子及び上記回路基板を覆うカバー部材と、上記金属台の下面に対して固定されるコネクタと、から成る照明器具構造であって、
上記コネクタが、絶縁材料から構成されていると共に、上記金属台及び回路基板に設けられた貫通孔を貫通する突出部と、一端がこの突出部の頂面に露出するようにインサート成形された給電端子と、を備えており、
上記突出部が上記金属台及び回路基板の貫通孔に挿入された状態で、上記給電端子の一端のネジ孔に螺合される給電用ネジにより、上記金属台及び回路基板に対して固定されると共に、回路基板の貫通孔周囲の回路パターンと電気的に接続されることを特徴とする、照明器具構造。
【請求項２】
上記給電端子の突出部の頂面に露出する一端が、上記コネクタ内に埋め込まれたナットにより構成されていることを特徴とする、請求項１に記載の照明器具構造。
【請求項３】
上記給電端子の突出部の頂面に露出する一端が、上記給電用ネジにより共締めされるワッシャを介して、上記回路基板の貫通孔周囲の回路パターンと電気的に接続されることを特徴とする、請求項１または請求項２に記載の照明器具構造。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本発明の第三の態様による照明器具構造は、前記第一または第二の態様による照明器具構造において、上記給電端子の突出部の頂面に露出する一端が、上記給電用ネジにより共締めされるワッシャを介して、上記回路基板の貫通孔周囲の回路パターンと電気的に接続されることを特徴とする。
この第三の態様では、上記金属台及び回路基板の貫通孔が、上記給電用ネジの頭部の径に対して比較的大きい場合であっても、上記給電用ネジが、ワッシャを介して上記金属台及び回路基板の貫通孔の周囲に係合するので、給電用ネジによる機械的固定がより確実に行なわれ得ることになる。
【手続補正５】
【補正対象書類名】明細書
【補正対象項目名】００１６
【補正方法】削除
【補正の内容】
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
車両の上方に向けて配置された発光素子と、
この発光素子からの光を車両前方に反射させるための反射面を有するライトガイドブロックとを有し、
このライトガイドブロックが、前記反射面の光軸に沿う鉛直方向への断面形状は、前記光軸上に焦点を有する略放物線形状に設定されており、前記発光素子からの光を前記ライトガイドブロック内部に入射させる入射面は前記光軸を通る水平面で且つ前記焦点と略一致する位置として設定され、
前記入射面には、前記焦点から後方には遮光処理が施され、
前記反射面の一部または全部には、この反射面に達した光を反射させるための反射処理が施されていることを特徴とする車両用灯具。
【請求項２】
前記反射面の表面形状が、前記焦点を通る鉛直断面に現れる放物線を断面とする、略放物柱状として設定されていることを特徴とする請求項１記載の車両用灯具。
【請求項３】
前記遮光処理が前記反射面の焦点位置から前方側に施されたことを特徴とする請求項１または請求項２に記載の車両用灯具。
【請求項４】
前記発光素子は光を放射する部分が略平面の発光ダイオードであり、前記発光ダイオードは前記ライトガイドブロックの入射面に近接して設けられ、前記入射面の遮光処理が前記発光ダイオードの前記光出射部の一部を覆うことを特徴とする請求項１から請求項３のいずれかに記載の車両用灯具。
【手続補正２】
【補正対象書類名】明細書
【補正対象項目名】０００６
【補正方法】変更
【補正の内容】
【０００６】
本発明は、上記した従来の課題を解決するための具体的手段として、車両の上方に向けて配置された発光素子と、この発光素子からの光を車両前方に反射させるための反射面を有するライトガイドブロックとを有し、このライトガイドブロックが、前記反射面の光軸に沿う鉛直方向への断面形状は、前記光軸上に焦点を有する略放物線形状に設定されており、前記発光素子からの光を前記ライトガイドブロック内部に入射させる入射面は前記光軸を通る水平面で且つ前記焦点と略一致する位置として設定され、 前記入射面には、前記焦点から後方には遮光処理が施され、前記反射面の一部または全部には、この反射面に達した光を反射させるための反射処理が施されていることを特徴とする車両用灯具を提供することで、構成を簡素化し、均一な性能の車両用灯具が容易に得られるものとして課題を解決するものである。
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
昼間には太陽電池で太陽光を受光して電気エネルギーを発生し、コンデンサに蓄積する一方、夜間には蓄積した電気エネルギーによって発光素子を発光させるようにした自発光モジュールにおいて、
上記太陽電池の上方には透光プレートが上記太陽電池を覆って設けられており、該透光プレートは太陽光を透過し得る透光性材料を用いて製作され、上記透光プレートの側端部には発光素子が配置されて上記透光プレート内部に光が入射されるように設けられている一方、
上記透光プレートの裏面には複数の光散乱部が分散してかつ上記透光プレートの全面積の３０％以下となるように形成され、上記透光プレート内部に入射した光が散乱されて上記透光プレートの表面から外方に放射されることにより上記透光プレートが面発光されるように設けられていることを特徴とする自発光モジュール構造。
【請求項２】
上記複数の光散乱部は、隣接する光散乱部との間に１ｍｍ〜３ｍｍの範囲内から選ばれる間隔をあけて形成されている請求項１記載の自発光モジュール構造。
【請求項３】
上記複数の光散乱部はレーザー加工によって凹状に形成されている請求項１又は２記載の自発光モジュール構造。
【請求項４】
上記複数の光散乱部は印刷加工によって凸状に形成されている請求項１又は２記載の自発光モジュール構造。
【請求項５】
上記複数の光散乱部は上記発光素子から離れるほど大きな面積に形成されている請求項１記載の自発光モジュール構造。
【請求項６】
上記発光素子は上記透光プレートの一側方の端面に設けられ、上記複数の光散乱部は上記透光プレートの他側方の端面に向けて面積が増大されている請求項１記載の自発光モジュール構造。
【請求項７】
上記発光素子は上記透光プレートの対向する端部に設けられ、上記複数の光散乱部は上記透光プレートの中心に向けて面積が増大されている請求項１記載の自発光モジュール構造。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
複数枚の基板を処理室に搬入搬出するボートを二台以上備えており、前記複数枚の基板を保持した一のボートと処理室とが密閉されている間に、他のボートに新規の基板を基板移載装置によって移載する基板処理装置において、
前記一のボートを前記処理室内に搬入した後に、前記ボートを支持する蓋体に敷設されて前記処理室を密閉するシール部材の間に形成した空間が所定の圧力に到達したら、前記他のボートに前記複数枚の基板を前記基板移載装置によって移載する作業を開始させるメインコントローラを有することを特徴とする基板処理装置。
【請求項２】
複数枚の基板を保持した一のボートと処理室とが密閉されている間に、他のボートに新規の基板を移載する基板処理方法であって、
前記一のボートを前記処理室内に搬入した後に、前記ボートを支持する蓋体に敷設されて前記処理室を密閉するシール部材の間に形成した空間が所定の圧力に到達したら、前記他のボートに前記複数枚の基板を前記基板移載装置によって移載する作業を開始させることを特徴とする基板処理方法。
【請求項３】
複数枚の基板を保持した一のボートを処理室内に搬入して前記複数枚の基板に処理を施している間に、他のボートに新規の基板を移載する工程を含む半導体装置の製造方法であって、
前記一のボートを前記処理室内に搬入した後に、前記ボートを支持する蓋体に敷設されて前記処理室を密閉するシール部材の間に形成した空間が所定の圧力に到達したら、前記他のボートに前記複数枚の基板を前記基板移載装置によって移載する作業を開始させることを特徴とする半導体装置の製造方法。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
トランジスタと該トランジスタに電気的に接続された配線とを絶縁する絶縁膜が基板上に形成された電気光学装置の製造方法であって、
前記トランジスタ又は配線上に、該トランジスタ又は配線を平面視した状態で覆うよう、高密度プラズマＣＶＤを用いて第１の絶縁膜を形成する第１の絶縁膜形成工程と、
前記第１の絶縁膜上に、第２の絶縁膜を積層して形成する第２の絶縁膜形成工程と、
前記第２の絶縁膜に対しエッチングバックを行い、前記トランジスタ又は配線の形状に起因して形成された前記第１の絶縁膜の少なくとも側壁部を覆うように、前記第２の絶縁膜を、設定厚さ残すエッチングバック工程と、
を具備することを特徴とする電気光学装置の製造方法。
【請求項２】
前記絶縁膜は、前記トランジスタの上層に形成されていることを特徴とする請求項１に記載の電気光学装置の製造方法。
【請求項３】
前記トランジスタに電気的に接続された配線は、前記トランジスタの下層に形成された走査線であり、前記絶縁膜は、前記トランジスタと前記走査線との間に形成されていることを特徴とする請求項１に記載の電気光学装置の製造方法。
【請求項４】
前記第２の絶縁膜は、テトラエトキシシラン膜から形成することを特徴とする請求項１〜３のいずれか１項に記載の電気光学装置の製造方法。
【手続補正２】
【補正対象書類名】明細書
【補正対象項目名】発明の名称
【補正方法】変更
【補正の内容】
【発明の名称】電気光学装置の製造方法
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
本発明に係る電気光学装置の製造方法は、トランジスタと該トランジスタに電気的に接続された配線とを絶縁する絶縁膜が基板上に形成された電気光学装置の製造方法であって、前記トランジスタ又は配線上に、該トランジスタ又は配線を平面視した状態で覆うよう、高密度プラズマＣＶＤを用いて第１の絶縁膜を形成する第１の絶縁膜形成工程と、前記第１の絶縁膜上に、第２の絶縁膜を積層して形成する第２の絶縁膜形成工程と、前記第２の絶縁膜に対しエッチングバックを行い、前記トランジスタ又は配線の形状に起因して形成された前記第１の絶縁膜の少なくとも側壁部を覆うように、前記第２の絶縁膜を、設定厚さ残すエッチングバック工程と、を具備することを特徴とする。
【手続補正１２】
【補正対象書類名】明細書
【補正対象項目名】００２２
【補正方法】変更
【補正の内容】
【００２２】
本発明によれば、トランジスタとトランジスタに電気的に接続された配線とを絶縁する絶縁膜を、ＨＤＰ−ＣＶＤによって、第１の絶縁膜として配線を覆うように形成することにより、トランジスタの遮光性を確保する最小限の薄さの絶縁膜の形成に起因して、トランジスタ特性が劣化してしまうことを確実に防止することができる。また、第１の絶縁膜上の側壁部を覆う位置に、被覆性の良い第２の絶縁膜を最小限の設定厚さに形成することにより、トランジスタの遮光性を確保する最小限の薄さの絶縁膜の側壁部におけるショートマージンを十分確保することができる。以上から、トランジスタ特性を劣化させることなく、トランジスタとトランジスタに電気的に接続された配線とを絶縁する絶縁膜の側壁部におけるショートマージンを十分確保することができる。
【手続補正１３】
【補正対象書類名】明細書
【補正対象項目名】００２３
【補正方法】変更
【補正の内容】
【００２３】
また、前記絶縁膜は、前記トランジスタの上層に形成されていることを特徴とする。
【手続補正１４】
【補正対象書類名】明細書
【補正対象項目名】００２５
【補正方法】変更
【補正の内容】
【００２５】
また、前記トランジスタに電気的に接続された配線は、前記トランジスタの下層に形成された走査線であり、前記絶縁膜は、前記トランジスタと前記走査線との間に形成されていることを特徴とする。
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
基板上に形成されたｎ型窒化物半導体からなる負コンタクト層を有し、
該負コンタクト層上には、負電極と、窒化物半導体からなる層状の発光構造体とが、それぞれ異なる領域に形成されており、
該発光構造体は、発光層を含むとともに最上部に正コンタクト層を有し、
該正コンタクト層上に正電極が形成されている、窒化物半導体発光ダイオード素子において、
前記負電極が形成された領域を含む、前記負コンタクト層の露出面が、前記負コンタクト層の端面に臨むように形成されており、
前記負電極は、オーミック電極と、該オーミック電極と電気的に接続された接点電極とからなり、
該接点電極は、前記負コンタクト層との間を誘電体膜により隔てることにより、当該接点電極から前記負コンタクト層に直接電流が流れないように形成されており、
前記オーミック電極は、前記負コンタクト層上の端面に沿った領域に形成されていることを特徴とする、窒化物半導体発光ダイオード素子。
【請求項２】
前記誘電体膜が、当該素子の上面を覆う絶縁保護膜の一部である、請求項１に記載の窒化物半導体発光ダイオード素子。
【請求項３】
前記負コンタクト層が方形であり、前記オーミック電極は、該方形の一辺に沿って帯状に形成されている、請求項１または２に記載の窒化物半導体発光ダイオード素子。
【請求項４】
前記オーミック電極の、前記負コンタクト層と接する部分が、Ａｌ、Ｔｉ、Ｗ、Ｎｉ、ＣｒもしくはＶの単体または、これらから選ばれる１種以上の金属を含む合金で形成されている、請求項１〜３のいずれか１項に記載の窒化物半導体発光ダイオード素子。
【請求項５】
前記オーミック電極の、前記負コンタクト層と接する部分が、導電性酸化物で形成されている、請求項１〜３のいずれか１項に記載の窒化物半導体発光ダイオード素子。
【請求項６】
前記オーミック電極と接する前記負コンタクト層の表面が粗面化されている、請求項１〜５のいずれかに記載の窒化物半導体発光ダイオード素子。
【手続補正２】
【補正対象書類名】明細書
【補正対象項目名】０００９
【補正方法】変更
【補正の内容】
【０００９】
前述の課題を解決するために、本発明の窒化物半導体発光ダイオード素子は、次の特徴を有する。
（１）基板上に形成されたｎ型窒化物半導体からなる負コンタクト層を有し、
該負コンタクト層上には、負電極と、窒化物半導体からなる層状の発光構造体とが、それぞれ異なる領域に形成されており、
該発光構造体は、発光層を含むとともに最上部に正コンタクト層を有し、
該正コンタクト層上に正電極が形成されている、窒化物半導体発光ダイオード素子において、
前記負電極が形成された領域を含む、前記負コンタクト層の露出面が、前記負コンタクト層の端面に臨むように形成されており、
前記負電極は、オーミック電極と、該オーミック電極と電気的に接続された接点電極とからなり、
該接点電極は、前記負コンタクト層との間を誘電体膜により隔てることにより、当該接点電極から前記負コンタクト層に直接電流が流れないように形成されており、
前記オーミック電極は、前記負コンタクト層上の端面に沿った領域に形成されていることを特徴とする、窒化物半導体発光ダイオード素子。
（２）前記誘電体膜が、当該素子の上面を覆う絶縁保護膜の一部である、前記（１）に記載の窒化物半導体発光ダイオード素子。
（３）前記負コンタクト層が方形であり、前記オーミック電極は、該方形の一辺に沿って帯状に形成されている、前記（１）または（２）に記載の窒化物半導体発光ダイオード素子。
（４）前記オーミック電極の、前記負コンタクト層と接する部分が、Ａｌ、Ｔｉ、Ｗ、Ｎｉ、ＣｒもしくはＶの単体または、これらから選ばれる１種以上の金属を含む合金で形成されている、前記（１）〜（３）のいずれかに記載の窒化物半導体発光ダイオード素子。（５）前記オーミック電極の、前記負コンタクト層と接する部分が、導電性酸化物で形成されている、前記（１）〜（３）のいずれかに記載の窒化物半導体発光ダイオード素子。（６）前記オーミック電極と接する前記負コンタクト層の表面が粗面化されている、前記（１）〜（５）のいずれかに記載の窒化物半導体発光ダイオード素子。
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
表層部にチャネル形成領域を有する半導体層と、
前記半導体層の上に設けられ、シリコンとゲルマニウムと酸素とを含む絶縁膜と、
前記絶縁膜の上に設けられ、前記絶縁膜を介して前記半導体層から供給される電荷を蓄積可能な電荷蓄積層とを有し、
前記絶縁膜中のゲルマニウムの濃度は、前記半導体層と前記絶縁膜との界面近傍と、前記絶縁膜と前記電荷蓄積層との界面近傍との少なくとも一方で最大値をとることを特徴とする半導体装置。
【請求項２】
前記絶縁膜中のゲルマニウムは、前記半導体層と前記絶縁膜との界面近傍領域に分布していることを特徴とする請求項１記載の半導体装置。
【請求項３】
前記絶縁膜中のゲルマニウムは、前記絶縁膜と前記電荷蓄積層との界面近傍領域に分布していることを特徴とする請求項１記載の半導体装置。
【請求項４】
前記絶縁膜中のゲルマニウムは、前記半導体層と前記絶縁膜との界面近傍領域、および前記絶縁膜と前記電荷蓄積層との界面近傍で、分布していることを特徴とする請求項１記載の半導体装置。
【請求項５】
前記絶縁膜中のゲルマニウム元素の濃度は、表面に平行な方向に沿って、前記チャネル形成領域の中央部から端部に向かって低くなっていることを特徴とする請求項１記載の半導体装置。
【請求項６】
前記半導体層と前記絶縁膜との界面から、前記絶縁膜中におけるゲルマニウム元素濃度が最大となる位置までの距離は、前記チャネル形成領域の中央部から端部に向かって長くなっていることを特徴とする請求項５記載の半導体装置。
【請求項７】
前記絶縁膜と前記電荷蓄積層との界面から、前記絶縁膜中におけるゲルマニウム元素濃度が最大となる位置までの距離は、前記チャネル形成領域の中央部から端部に向かって長くなっていることを特徴とする請求項５記載の半導体装置。
【請求項８】
前記絶縁膜中で、ゲルマニウム原子１つに対して、４つの酸素原子が結合していることを特徴とする請求項１〜７のいずれか１つに記載の半導体装置。
【請求項９】
前記絶縁膜中で、ゲルマニウム原子１つに対して、３つ以下の酸素原子が結合していることを特徴とする請求項１〜７のいずれか１つに記載の半導体装置。
【手続補正２】
【補正対象書類名】明細書
【補正対象項目名】発明の名称
【補正方法】変更
【補正の内容】
【発明の名称】半導体装置
【手続補正３】
【補正対象書類名】明細書
【補正対象項目名】０００１
【補正方法】変更
【補正の内容】
【０００１】
本発明は、半導体装置に関する。
【手続補正４】
【補正対象書類名】明細書
【補正対象項目名】０００５
【補正方法】変更
【補正の内容】
【０００５】
本発明は、電荷供給層と電荷蓄積層との間における絶縁膜を介しての電荷移動効率を向上させる半導体装置を提供する。
【手続補正５】
【補正対象書類名】明細書
【補正対象項目名】０００６
【補正方法】変更
【補正の内容】
【０００６】
本発明の一態様によれば、表層部にチャネル形成領域を有する半導体層と、前記半導体層の上に設けられ、シリコンとゲルマニウムと酸素とを含む絶縁膜と、前記絶縁膜の上に設けられ、前記絶縁膜を介して前記半導体層から供給される電荷を蓄積可能な電荷蓄積層とを有し、前記絶縁膜中のゲルマニウムの濃度は、前記半導体層と前記絶縁膜との界面近傍と、前記絶縁膜と前記電荷蓄積層との界面近傍との少なくとも一方で最大値をとることを特徴とする半導体装置が提供される。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明によれば、電荷供給層と電荷蓄積層との間における絶縁膜を介しての電荷移動効率を向上させる半導体装置が提供される。